(57)【要約】【課題】ドア１１の存在を気付きにくくして、ドア１１を開けて中に侵入しようとする者の不安感を高めて侵入を思い留まらせるドアシステムを提供する。【解決手段】ドアシステムは、外開き式のドア１１と、ドア１１の外側から操作可能な本人認証部１２と、ドア１１を施錠する錠１４と、本人認証部１２が本人を認証した後に錠１４を解錠する錠制御部１５とを備える。ドア１１は錠制御部１５により錠１４が解錠された後に開き、ドア１１の外面はドア１１の周囲をかこむ壁１９の外面と同じ色彩を有し且つ同じ仕上げ処理が施され、ドア１１が閉じた状態においてドア１１の外面と壁１９の外面は同じ平面上に位置し且つドア１１の外面にノブは無い。【選択図】図１
2009263968.tif 000002
【特許請求の範囲】
【請求項１】
外開き式のドアと、
前記ドアの外側から操作可能な本人認証部と、
前記ドアを施錠する錠と、
前記本人認証部が本人を認証した後に、前記錠を解錠する錠制御部とを備え、
前記ドアは前記錠制御部により前記錠が解錠された後に開き、前記ドアの外面は前記ドアの周囲をかこむ壁の外面と同じ色彩を有し且つ同じ仕上げ処理が施され、前記ドアが閉じた状態において前記ドアの外面と前記壁の外面は同じ平面上に位置し且つ前記ドアの外面にノブは無い
ことを特徴とするドアシステム。
【請求項２】
前記ドアが開く際の回転軸に垂直な断面において、前記ドアの少なくとも前記回転軸に近い側の側面とこの側面に隣接する前記壁の側面とを相互に嵌め合うための段差が形成されていることを特徴とする請求項１に記載のドアシステム。
【請求項３】
前記ドアは、前記ドアが開く際の回転軸から遠い側の前記ドアの側面に設けられた手掛部を備えることを特徴とする請求項１または２に記載のドアシステム。
【請求項４】
前記錠制御部が前記錠を解錠した後に、前記ドアを閉じた状態から少なくとも前記ドアの側面が現れる程度まで開く送出部を更に備えることを特徴とする請求項１から３のいずれか一項に記載のドアシステム。
【請求項５】
前記錠、前記錠制御部及び前記送出部は、前記ドアの外面及び前記壁の外面のいずれにも露出していないことを特徴とする請求項４に記載のドアシステム。
【請求項６】
前記本人認証部は、非接触式ＩＣカードのカード情報を読取るカードリーダ部を備え、前記カードリーダ部は前記壁に内蔵されていることを特徴とする請求項１から４のいずれか一項に記載のドアシステム。
【発明の詳細な説明】
【技術分野】
【０００１】
本発明は、外観上ドアの存在に気付きにくいドアシステムに関する。
【背景技術】
【０００２】
従来から、侵入者を抑止するために外側から見てドアや扉の存在を分りにくくしたドア構造が知られている（例えば、特許文献１及び２参照）。
【０００３】
特許文献１には、縦材と横材を組み合わせた格子面材を用いて、外部の視線から隠蔽しながら空間の開放感も維持する目隠し装置が開示されている。この目隠し装置では、格子面材の開口部に格子扉を設け、この格子扉を閉鎖した状態において格子扉と格子面材との間で縦材のピッチが一定となり且つ室外から見て蝶番などが突出していない。また、格子扉と格子面材の室外側端面が面一に位置している。特許文献１には、外観における美感や意匠性が向上し、扉の有無の判断がつき難くなり防犯性も高まることが記載されている（段落００１３参照）。
【０００４】
特許文献２には、強盗などに襲われた際に避難して身を守るための隠れ部屋に取り付けられる内開き式のドア構造が開示されている。このドア構造では、ドア及びドア枠は壁面と同じ外装が施され且つ壁面と段差なく形成され、室内側のみに引き手及び閉まる方向へ付勢する付勢部材を設け、室外側に鍵穴を有しないロック装置を設けている。
【特許文献１】特開２００７−００２５９９号公報
【特許文献２】特開２００６−３１６４３５号公報
【発明の開示】
【発明が解決しようとする課題】
【０００５】
しかし、特許文献１の目隠し装置では、室外から外側に扉を開く時に縦材に手を掛けることになるが、長期間使用すると、手を掛ける部分が指紋などで汚れてしまい、その汚れによって扉の有無や扉の位置が特定されてしまう。
【０００６】
本発明は、上記問題点に鑑みて成されたものであり、その目的は、ドアの存在を気付きにくくして、ドアを開けて中に侵入しようとする者の不安感を高めて侵入を思い留まらせるドアシステムを提供することである。
【課題を解決するための手段】
【０００７】
本発明の特徴は、外開き式のドアと、このドアの外側から操作可能な本人認証部と、ドアを施錠する錠と、本人認証部が本人を認証した後に錠を解錠する錠制御部とを備えるドアシステムであって、ドアは錠制御部により錠が解錠された後に開き、ドアの外面はドアの周囲をかこむ壁の外面と同じ色彩を有し且つ同じ仕上げ処理が施され、ドアが閉じた状態においてドアの外面と壁の外面は同じ平面上に位置し且つドアの外面にノブは無いことである。
【０００８】
本発明の特徴によれば、外開き式のドアの外面はドアの周囲をかこむ壁の外面と同じ色彩を有し且つ同じ仕上げ処理が施され、ドアが閉じた状態においてドアの外面と壁の外面は同じ平面上に位置し且つドアの外面にノブは無いため、ドアを壁に同化させることができ、外観上、ドアの存在を気付きにくくさせることができる。これにより、ドアを開けて中に侵入しようとする者の不安感を高めて、侵入を思い留まらせる一定の効果が得られる。仮に、ドアを開けて中に侵入しようとする者がドアの存在に気付いたとしても、外開き式のドアの外面にノブが無いので、ドアを開けることができない。また、ドアは錠制御部により錠が解錠された後に開くので、ドアが勝手に開いてしまうことを抑制できる。
【０００９】
ドアが開く際の回転軸に垂直な断面において、ドアの少なくとも当該回転軸に近い側の側面とこの側面に隣接する壁の側面とを相互に嵌め合うための段差が形成されていてもよい。これにより、ドアが開く際に、ドアの回転軸に近い側の側面がこの側面に隣接する壁の側面に当ることを回避しつつ、ドアの外面と壁の外面との隙間を小さくすることができる。よって、更に、ドアを壁に同化させることができ、外観上、ドアの存在を気付きにくくさせることができる。
【００１０】
ドアは、ドアが開く際の回転軸から遠い側のドアの側面に設けられた手掛部を備えていてもよい。これにより、ドアの外面にノブが無くても手掛部に手を掛けてドアを簡単に開くことができる。
【００１１】
ドアシステムは、錠制御部が錠を解錠した後に、ドアを閉じた状態から少なくともドアの側面が現れる程度まで開く送出部を更に備えていてもよい。これにより、ユーザは、出現したドアの側面に手を掛けてドアを簡単に開くことができる。
【００１２】
錠、錠制御部及び送出部は、ドアの外面及び壁の外面のいずれにも露出していないようにしてもよい。これにより、ドアの外側から、錠、錠制御部及び送出部を見えなくなり、ドアを壁に同化させることができ、外観上、ドアの存在を気付きにくくさせることができる。
【００１３】
本人認証部は、非接触式ＩＣカードのカード情報を読取るカードリーダ部を備え、このカードリーダ部は壁に内蔵されていてもよい。これにより、ドアの外側からカードリーダ部が判別しにくくなり、ドアを開けて中に侵入しようとする者の不安感を高めて、侵入を思い留まらせることができる。
【発明の効果】
【００１４】
本発明のドアシステムによれば、建物の出入り口に設置された開き戸を建物の外壁に同化させて、建物の出入り口にから侵入しようとする不審者の不安感を高めて侵入を思い留まらせることができる。
【発明を実施するための最良の形態】
【００１５】
以下図面を参照して、本発明の実施形態を説明する。図面の記載において同一部分には同一符号を付して説明を省略する。
【００１６】
先ず、図１を参照して、本発明の実施の形態に係わるドアシステムの全体構成を説明する。ドアシステムは、外開き式のドア１１と、ドア１１の外側から操作可能な本人認証部１２と、ドア１１を施錠する錠１４と、錠１４の解錠及び施錠を制御する錠制御部１５と、ドア１１を閉じた状態から少なくともドア１１の側面が現れる程度まで開く送出部１６とを備える。
【００１７】
本発明の実施の形態では、建物の出入り口に設置されている外開き式のドア１１について説明する。建物の出入り口には建物の玄関、勝手口や通用口などが含まれ、ドア１１には玄関に設置される玄関ドア、勝手口や通用口に設置される勝手口ドアや通用口ドアが含まれる。
【００１８】
ドア１１は方形の板状の部材から成り、ドア１１の周囲は壁１９でかこまれている。ドア１１の一辺Ｐａ側にはヒンジ１３ａ、１３ｂが取り付けられ、ヒンジ１３ａ、１３ｂはそれぞれ壁１９及び床に対してドア１１を回転可能に支持している。図１はドア１１の外面から見た正面図であり、ドア１１は、ヒンジ１３ａ、１３ｂを繋ぐ直線を中心軸として外側へ回転して開くように設置されている。
【００１９】
壁１９は、ドア１１の一辺Ｐａ、一辺Ｐａに対向する他の辺Ｐｂ、及び一辺Ｐａと他の辺Ｐｂを上部で繋ぐ上辺Ｐｃに隣接している。ドア１１の上辺Ｐｃに隣接する壁１９にはヒンジ１３ａが取り付けられ、ドア１１の下辺に隣接する床にはヒンジ１３ｂが取り付けられている。
【００２０】
錠１４は、ドア１１の他の辺Ｐｂ近傍に配置されている。錠制御部１５は、ドア１１の一辺Ｐａに隣接する壁１９に配置されている。送出部１６は、ドア１１の他の辺Ｐｂ近傍の壁１９に設置されている。図１の例において送出部１６はドア１１の上辺Ｐｃに隣接する壁１９の部分に配置されている。
【００２１】
本人認証部１２は、ドア１１の他の辺Ｐｂ近傍の壁１９に設置されている。また、本人認証部１２は、非接触式ＩＣカードのカード情報を読取るカードリーダ部１７を備える。カードリーダ部１７は壁１９に内蔵されている。
【００２２】
ドア１１の外面はドア１１の周囲をかこむ壁１９の外面と同じ色彩を有し且つ同じ仕上げ処理が施されている。ドア１１が閉じた状態において、ドア１１の外面にドア１１を外側へ開く時に握るノブや、錠１４を解錠するために鍵を挿入する鍵穴は無い。また、本人認証部１２、ヒンジ１３ａ、１３ｂ、錠１４、錠制御部１５、送出部１６及びカードリーダ部１７は、ドア１１の外面及び壁１９の外面のいずれにも露出していない。
【００２３】
図２（ａ）に示すように、ドア１１が閉じた状態においてドア１１の外面ＦＤと壁１９の外面ＷＦは同じ平面上に位置している。本人認証部１２、ヒンジ１３ａ、１３ｂ、錠１４、錠制御部１５及びカードリーダ部１７は、ドア１１または壁１９の外面よりも内側に配置されている。図２（ｂ）に示すように、送出部１６は、ドア１１または壁１９の内面に沿って配置されている。
【００２４】
図２（ａ）に示すように、ドア１１及び壁１９の外側から非接触式ＩＣカード２１をカードリーダ部１７に近づけると、カードリーダ部１７は非接触式ＩＣカード２１からカード情報を読取る。本人認証部１２は、カードリーダ部１７が読取ったカード情報と予め登録した情報とを照合することにより本人を認証する。
【００２５】
本人認証部１２が本人を認証した場合、すなわち、本人認証に成功した場合、本人認証部１２は錠制御部１５へ動作許可信号を送信し、錠制御部１５がこの動作許可信号を受信すると、錠１４に対して錠制御信号を送信する。錠制御信号を受信した錠１４はドア１１を解錠する。その後、錠制御部１５は送出部１６に対して駆動信号を送信し、駆動信号を受信した送出部１６は、ドア１１の他の辺Ｐｂ近傍をドア１１の外側へ向けて送り出す。送出部１６は、ドア１１を閉じた状態から少なくともドア１１の側面ＦＳ１が現れる程度まで送り出す。一方、本人認証に失敗した場合、上記動作が行われないので、ドア１１は施錠状態に維持される。
【００２６】
本発明の実施の形態によれば、以下の作用効果が得られる。
【００２７】
外開き式のドア１１の外面ＦＤはドア１１の周囲をかこむ壁１９の外面ＷＦと同じ色彩を有し且つ同じ仕上げ処理が施され、ドア１１が閉じた状態においてドア１１の外面ＦＤと壁１９の外面ＷＦは同じ平面上に位置し且つドア１１の外面ＦＤにノブは無い。これにより、ドア１１を壁１９に同化させることができ、外観上、ドア１１の存在を気付きにくくさせることができる。よって、ドア１１を開けて中に侵入しようとする者の不安感を高めて、侵入を思い留まらせる一定の効果が得られる。仮に、ドア１１を開けて中に侵入しようとする者がドア１１の存在に気付いたとしても、外開き式のドア１１の外面ＦＤにノブが無いので、ドア１１を開けることができない。また、ドア１１は錠制御部１５により錠１４が解錠された後に開くので、ドア１１が勝手に開いてしまうことを抑制できる。
【００２８】
本人認証部１２が本人を認証し、錠制御部１５が錠１４を解錠した後に、送出部１６が少なくともドア１１の側面ＦＳ１が現れる程度にドア１１を開く。これにより、非接触式ＩＣカード２１によって本人であることを認証されたユーザは、ドア１１の外面ＦＤにノブが無くても、ドア１１の側面ＦＳ１に手Ｈを掛けることでドア１１を容易に開くことができる。また、ドア１１の外面ＦＤに手を掛ける必要がなくなるので、長期間の使用によって指紋などでドア１１の外面ＦＤが汚れてしまうことも無くなり、その汚れによってドア１１の有無やドア１１の位置が特定しやすくなることが無くなり、ドア１１の存在及びドア１１の位置を長期間にわたって隠蔽することができる。
【００２９】
錠１４、錠制御部１５及び送出部１６は、ドア１１の外面ＦＤ及び壁１９の外面ＷＦのいずれにも露出していないので、建物の外側から、錠１４、錠制御部１５及び送出部１６を見えなくなり、ドア１１を壁１９に同化させることができ、外観上、ドア１１の存在を気付きにくくさせることができる。
【００３０】
本人認証部１２は、非接触式ＩＣカード２１のカード情報を読取るカードリーダ部１７を備え、カードリーダ部１７は壁１９に内蔵されている。これにより、ドア１１の外側からカードリーダ部１７が判別しにくくなり、ドア１１を開けて中に侵入しようとする者の不安感を高めて、侵入を思い留まらせることができる。仮に、ドア１１を開けて中に侵入しようとする者がドア１１の存在に気付いたとしても、外開き式のドア１１の外面ＦＤにノブが無いので、ドア１１を開けることができない。カードリーダ部１７は、非接触式ＩＣカード２１を壁１９の外面ＷＦに接触させなくてもカード情報を読取ることができるので、長期間の使用によってカードの接触などで壁１９の外面ＷＦが汚れてしまうことも無くなり、カードリーダ部１７の存在やドア１１の存在及びドア１１の位置を長期間にわたって隠蔽することができる。
【００３１】
なお、特許文献２のドア構造は、内開き式のドアに関するものであり、本発明の実施の形態における外開き式のドア１１にそのまま適用できる技術ではないので、特許文献２に開示された発明から本発明を創作することは困難である。具体的には、本発明の実施の形態におけるドア１１は例えば玄関や勝手口などの建物の出入り口に設置されるため、特許文献２の内開き式のドアを玄関や勝手口などの建物の出入り口に設置した場合、例えば雨水が戸内に浸入してしまうという問題が発生してしまう。よって、特許文献２のドア構造は、本発明の実施の形態におけるドア１１に適用できる技術ではない。
【００３２】
（変形例）
変形例では、送出部１６により送り出されたドア１１の側面ＦＳ１及びこの側面ＦＳ１に対向する側面ＦＳ２にそれぞれ段差形状を設けた場合について説明する。変形例に係わるドアシステムの全体構成は図１に示したドアシステムと同様であって説明を省略する。
【００３３】
図３を参照して、変形例に係わるドアシステムが備えるドア１１ｂ及び壁１９ｂの構成を説明する。図３は、ドア１１ｂが開く際の回転軸となるヒンジ１３ａとヒンジ１３ｂを繋ぐ直線に垂直な断面図である。当該断面において、ドア１１ｂの回転軸に近い側の側面ＦＳ２とこの側面ＦＳ２に隣接する壁１９ｂの側面ＷＳ２とを相互に嵌め合うための段差が形成されている。これを第１の段差部と呼ぶ。
【００３４】
第１の段差部において、ドア１１ｂの外面側厚さＴＨＯは内面側厚さＴＨＩよりも薄い。よって、内面側の隙間ＴＢ２は、ドア１１ｂが開く際に、ドア１１ｂの側面ＦＳ２が壁１９ｂの側面ＷＳ２に当ることを回避するために所定の幅が必要となる。しかし、外面側の隙間ＴＦ２の幅は、内面側の隙間ＴＢ２に比べて、最小限まで狭くすることができる。これにより、ドア１１ｂが開く際に、ドア１１ｂの回転軸に近い側の側面ＦＳ２がこの側面ＦＳ２に隣接する壁１９ｂの側面ＷＳ２に当ることを回避しつつ、ドア１１ｂの外面ＦＤと壁１９ｂの外面ＷＦとの隙間ＴＦ２を小さくすることができる。
【００３５】
変形例においては、更に、ドア１１ｂが開く際の回転軸に垂直な断面において、ドア１１ｂの回転軸に遠い側の側面ＦＳ１とこの側面ＦＳ１に隣接する壁１９ｂの側面ＷＳ１とを相互に嵌め合うための段差が形成されている。これを第２の段差部と呼ぶ。第２の段差部において、ドア１１ｂの内面と壁１９ｂの内面との隙間ＴＢ１は、ドア１１ｂが開く際に、ドア１１ｂの側面ＦＳ１がこの側面ＦＳ１に隣接する壁１９ｂの側面ＷＳ１に当ることを回避するために必要な幅を備える。一方、ドア１１ｂの外面ＦＤと壁１９ｂの外面ＷＦとの隙間ＴＦ１の幅は、内面側の隙間ＴＢ１よりも狭く設定することができる。
【００３６】
このように、ドア１１ｂの外面ＦＤと壁１９ｂの外面ＷＦとの隙間（ＴＦ２、ＴＦ１）を、最小限まで狭く設定することができるので、更に、ドア１１ｂを壁１９ｂに同化させることができ、外観上、ドア１１ｂの存在を気付きにくくさせることができる。
【００３７】
なお、図２（ａ）に示す例では、送出部１６により送り出されたドア１１の側面ＦＳ１は平面を成しており、側面ＦＳ１に手Ｈの指を掛ける部分が無いので、ユーザはドア１１の内面に手Ｈの指を掛けてドア１１を開けることが考えられるが、変形例によれば、図４に示すように、ユーザはドア１１ｂの側面ＦＳ１に形成された段差に手Ｈの指を掛けてドア１１ｂを開けることができるので、ドア１１ｂの側面ＦＳ１に設けられた段差を手掛部として利用することができる。
【００３８】
また、ドア１１ｂの回転軸に遠い側の側面ＦＳ１及びこの側面ＦＳ１に隣接する壁１９ｂの側面ＷＳ１において、図３に示すドアシステムは、ドア１１ｂの内面に被さるドアストッパ２２を備えていてもよい。ドアストッパ２２は、壁１９ｂに支持され、ドアストッパ２２の一部が、図３に示すドア１１ｂが閉じた状態においてドア１１ｂの内面に当接するように、ドア１１ｂの内面に被さる。
【００３９】
ドアストッパ２２は、ドア１１ｂの内面と壁１９ｂの内面との隙間ＴＢ１を隠すので、建物の中から隙間ＴＢ１を通じて戸外へ漏れる光を遮蔽することができる。よって、更に、外観上、ドア１１ｂの存在を気付きにくくさせることができる。なお、もちろん、変形例に限らず、実施の形態に係わるドアシステムに対しても、このドアストッパ２２を適用することは可能である。
【００４０】
（その他の実施の形態）
上記のように、本発明は、１つの実施形態及びその変形例によって記載したが、この開示の一部をなす論述及び図面はこの発明を限定するものであると理解すべきではない。この開示から当業者には様々な代替実施の形態、実施例及び運用技術が明らかとなろう。
【００４１】
本発明の実施の形態に係わるドアシステムは、ドア１１が開いた状態から閉じる方向へ力を加えるドアクローザを備え、錠１４が解錠されてドア１１が開いた後に、再びドア１１が閉じた時に錠制御部１５が錠１４を施錠するようにしてもよい。また、錠制御部１５は、建物の内側から操作可能な操作盤を備え、ユーザによる当該操作盤の操作によって、建物の内側から錠１４の施錠及び解錠を操作できるようにしても構わない。
【００４２】
図１の例では、送出部１６をドア１１の他の辺Ｐｂ近傍に設置し、送出部１６がドア１１の側面ＦＳ１が現れる程度までドア１１を送り出す場合について説明した。送出部１６はドア１１を全開しても構わない。
【００４３】
変形例では、ドア１１ｂの側面ＦＳ１に設けた段差を手掛部として利用した場合について説明したが、手掛部はこれに限らない。実施の形態で説明した平坦な側面ＦＳ１の一部分、例えば手Ｈを掛けやすい高さに手の指が入る程度の深さの窪みまたは凹部を形成すれば、これを手掛部として利用することもできる。
【００４４】
このように、本発明はここでは記載していない様々な実施の形態等を包含するということを理解すべきである。したがって、本発明はこの開示から妥当な特許請求の範囲に係る発明特定事項によってのみ限定されるものである。
【図面の簡単な説明】
【００４５】
【図１】本発明の実施の形態に係わるドアシステムが備えるドア１１の外側から見た正面図である。
【図２】図２（ａ）は図１のＡ−Ａ切断面に沿った断面図であり、図２（ｂ）は図１のＢ−Ｂ切断面に沿った断面図である。
【図３】変形例に係わるドアシステムが備えるドア１１ｂ及び壁１９の水平断面を示す図である。
【図４】図３に示したドア１１ｂの側面ＦＳ１が現れる程度までドア１１ｂが開いた状態を示す水平断面図である。
【符号の説明】
【００４６】
１１、１１ｂ…ドア
１２…本人認証部
１３ａ、１３ｂ…ヒンジ
１４…錠
１５…錠制御部
１６…送出部
１７…カードリーダ部
１９、１９ｂ…壁
２１…非接触式ＩＣカード
２２…ドアストッパ
ＦＤ、ＷＦ…外面
ＦＳ１、ＦＳ２、ＷＳ１、ＷＳ２…側面
Ｈ…手
【図１】
2009263968.tif 000003
【図２】
2009263968.tif 000004
【図３】
2009263968.tif 000005
【図４】
2009263968.tif 000006